(57)【特許請求の範囲】
【請求項１】
フェノチアジン及び当該阻害剤溶液の質量に対して少なくとも５０％（ｗ／ｗ）のＮ−アルキルピロリドンを含む阻害剤溶液を、ラジカル重合下にある系に添加する工程を含むラジカル重合の急停止法において、阻害剤の溶液はさらにｐ−メトキシフェノール（ＭＥＨＱ）を含んでいることを特徴とする急停止法。
【請求項２】
Ｎ−アルキルピロリドンが、Ｎ−メチルピロリドン又はＮ−エチルピロリドンである請求項１に記載の方法。
【請求項３】
阻害剤溶液のフェノチアジン含有率が、阻害剤溶液の質量に対して少なくとも１０％（ｗ／ｗ）である請求項１又は２に記載の方法。
【請求項４】
阻害剤溶液のｐ−メトキシフェノール含有率が、阻害剤溶液の質量に対して２．５〜１２．５％（ｗ／ｗ）である請求項１〜３のいずれかに記載の方法。
【請求項５】
阻害剤溶液のｐ−メトキシフェノール含有率が、阻害剤溶液の質量に対して５〜１０％（ｗ／ｗ）である請求項１〜４のいずれかに記載の方法。
【請求項６】
ラジカル重合下にある系が、ラジカル塊状重合下にある（メタ）アクリルモノマーを含む請求項１〜５のいずれかに記載の方法。
【請求項７】
（メタ）アクリルモノマーが（メタ）アクリル酸である請求項６に記載の方法。
【請求項８】
（メタ）アクリルモノマーが（メタ）アクリル酸エステルである請求項６に記載の方法。
【請求項９】
それぞれ阻害剤溶液の質量に対して、少なくとも１０％（ｗ／ｗ）のフェノチアジン、５〜１０％（ｗ／ｗ）のｐ−メトキシフェノール及び少なくとも５０％（ｗ／ｗ）のＮ−メチルピロリドンを含む阻害剤溶液。
【発明の詳細な説明】
【０００１】
本発明は、ラジカル重合（フリーラジカル重合）の急停止法に関する。一旦開始されたラジカル重合は通常極めて発熱的、即ちかなりの熱放出を伴うものであり、除去されない限り、重合熱はラジカル重合をさらに加速する。
【０００２】
上述の熱の除去を、意図的なラジカル重合において不適切なやり方で行った場合、重合が極めて活発となるので、制御不能となった重合（例えば、少なくとも１個のエチレン性不飽和基を有する化合物（モノマー）の、ラジカル、塊状、溶液又は懸濁液重合）が妨害されないときは、重合混合物を含む容器が爆発するとの危険がある。
【０００３】
このようなことに対する有効な対策は、不意に開始したラジカル重合の場合に特に必要である。不意に開始したラジカル重合は、例えばモノマーを含む物質の貯蔵及び／又は輸送中に発生する。なぜなら熱と光の両方により又は望んでいないフリーラジカルにより、モノマーのラジカル重合が開始し得るからである。このような不意のラジカル重合は、少量（一般に１０００ｐｐｍ（質量）まで）のラジカル重合阻害剤（ラジカル受容体、重合阻害剤）をモノマーに添加することにより防止するようにされていることも事実である。しかしながら、これらの阻害効果は、余り強調されるべきではない。なぜなら、これらは、ラジカル重合の目的にモノマーを次に使用する前には分離されなければならないであろう。しかしながら、ラジカル重合開始剤は、例えば、ヒドロキノンのモノメチルエーテル（ＭＥＨＱ）が有するように、穏やかな阻害効果に対して、通常優勢であり得る。そして、このため、ＭＥＨＱは、モノマー用に特に頻繁に使用される貯蔵及び／又は輸送用安定剤である。しかしながら、経験上、貯蔵及び／又は輸送用安定剤で安定化されたモノマーの場合でさえ、不意のモノマーのラジカル重合を完全に排除することはできないことが分かっている。モノマーが特に容易にラジカル重合を受ける（メタ）アクリルモノマー及び／又はスチレンである場合に特に、不意のラジカル重合を完全に排除することはできない。用語「（メタ）アクリルモノマー」は、ここではアクロレイン、メタクロレイン、アクリル酸、メタクリル酸及び／又はこれら２種の酸のエステルを含む物質を意味していると理解すべきである。この明細書では、（メタ）アクリルは、一般にアクリル及び／又はメタクリルの略語として使用されている。
【０００４】
特に、少なくとも９０質量％の（メタ）アクリルモノマーを含む物質は、不意のラジカル重合（これはまた重合阻害剤を予防手段として添加した場合にも起こる）に関して危険性がある。これは特に、このような物質が輸送中及び／又は貯蔵中における極端な外部条件に曝された場合（例えばヨーロッパから南西アジアへの輸送の場合のように、例えば、種々の気候ゾーン（例、赤道を横切る）を通る船による輸送中における極端な高温、或いは北国の外部タンクにおける貯蔵のように極端な低温）に起こる。特に、低温は、極端な場合、モノマーを部分的又は完全に結晶化させるので、危険性はない。高温は、通常モノマーと安定剤との分離（結晶化による精製）をもたらし、これはモノマーの不安定化領域の存在及びその後のある持続時間の溶解をもたらすかもしれず、この領域は高い可能性で、不意のラジカル重合の出発点であり得る。
【０００５】
このため、モノマー含有物質の安全輸送及び／又は安全貯蔵について、モノマーの不意に開始されるラジカル重合を極めて急速に中止することができる方法が求められている。しかしながら、このような方法は、制御不能の不意のラジカル重合を即座に停止させるためにも必要である。
【０００６】
公知の阻害剤溶液の添加を考えるであろう、これまで知られている方法は、低温では、阻害剤溶液の結晶化のために、全く信頼性がない。
【０００７】
本発明の目的は、０℃未満の温度でも適用可能なラジカル重合を急停止させる方法を提供することにある。
【０００８】
本発明者等は、上記目的が、フェノチアジン及び少なくとも５０％（ｗ／ｗ）のＮ−アルキルピロリドンを含む阻害剤溶液を、ラジカル重合下にある系に添加する工程を含むラジカル重合の急停止法により達成されることを見出した。
【０００９】
上記目的は、本発明に従い、阻害剤溶液が、さらにｐ−フェノキシフェノール（即ちヒドロキノンのモノメチルエーテル（ＭＥＨＱ））を含んでいる場合に達成される。
【００１０】
上記新規方法の優位性は、徹底的且つ広範な研究活動の結果、下記の点にあることが分かった：
ラジカル重合を急停止するためにヒドロキノン又はブチルピロカテコール或いはこれらの誘導体を基礎とする重合阻害剤溶液を添加するとのＥＰ−Ｂ６４６２８及びＥＰ−Ａ２００１８１の推奨方法に比較して、本発明の添加されるべきフェノチアジンを含む阻害剤溶液は、実質的にさらに有効で広範囲に適用可能な重合阻害剤を含んでいる；
アクリル酸の不意のラジカル重合を急停止するためにＣｕ(II)塩水溶液を添加するとのRes. Dicl. 1989, 300, 245 (Eng.)の推奨方法に比較して、Ｎ−アルキルピロリドンを基礎とする阻害剤溶液は一般に水溶液及び非水溶液の両方の系に可溶で、またこれらの系から容易に分離され得る；
Saf. Prog. 12(2) (1993), 111-114の方法は、アクリル酸の不意のラジカル重合を急停止するために、これにフェノチアジンを基礎とする阻害剤溶液を添加することを薦めているが、この先行技術はフェノチアジンをＮ−アルキルピロリドンを主成分とする溶媒の溶液に添加すべきとの示唆はない；
１９９８年１０月２７日のＰＣＴ／ＥＰ９８／０６８１４には、フェノチアジン及び少なくとも５０％（ｗ／ｗ）のＮ−アルキルピロリドンを含む阻害剤溶液をラジカル重合下の系に添加する工程を含む方法が記載されている。しかしながら、得られる阻害剤溶液は０℃付近で結晶化する。ｐ−メトキシフェノール（ＭＥＨＱ）の阻害剤溶液への添加が有利であるとは記載されていない。しかしながら、ＭＥＨＱの阻害剤溶液への添加により、阻害剤溶液の結晶化点が極端に低下し、阻害剤溶液は今や０℃未満の温度でも信頼性がある。これ程までのＭＥＨＱの結晶化阻害性は全く驚くべきことである。これまで、ＭＥＨＱはラジカル重合性モノマーには、貯蔵及び／又は輸送安定化剤としてのみ添加されてきた。
【００１１】
さらに、新規な手順の優位性は、Ｎ−アルキルピロリドンがほとんどの物質に対して不活性であることにある。さらにまた、Ｎ−アルキルピロリドンの沸点は、ほとんどのモノマーの沸点より上であり、このため続くモノマーからの分離を容易にし、そしてモノマーのさらなる使用も可能にする。また、Ｎ−アルキルピロリドンの高沸点は、暑い気候ゾーンでの爆発性の蒸気／酸素混合物の形成を防止する。さらにＮ−アルキルピロリドンは一般に低融点であり、北国でさえ使用可能である。他の優位性は、Ｎ−アルキルピロリドンの低引火点であり、また毒性があるとしても低毒性であることである。しかしながら、フェノチアジンが室温（２５℃）でＮ−アルキルピロリドンに高い溶解度を有するとの事実が、新規な方法の特に有利な点である。このことが、高濃度のフェノチアジンの溶液の新規な使用を、フェノチアジンが屋外の温度変化で部分的又は完全に急に沈殿するとの危険性を無しにして、可能にしている。
【００１２】
ラジカル重合の急停止のためにフェノチアジン自体の添加は、フェノチアジン自体の分割の程度を小さくすることは必要な急停止には適当でないとの点で不利である。
【００１３】
本発明で好ましいＮ−アルキルピロリドンは炭素原子数１〜８個のアルキル基を有するものである。特に好ましくは炭素原子数１〜６個のアルキル基を有するＮ−アルキルピロリドンである。Ｎ−アルキルピロリドンとしては、なかでもＮ−メチルピロリドン及びＮ−エチルピロリドンが好ましい。
【００１４】
本発明に従い添加されるフェノチアジン溶液は、Ｎ−アルキルピロリドン以外に、他の溶剤を含んでも良い。この種の好適な溶剤は、Ｎ−アルキルピロリドンと相溶性のあるものである。このような溶剤の例としては、ビフェニル、ジフェニルエーテル、トルエン、キシレン、フタル酸ジメチル、酢酸ブチル及び酢酸２−エチルへキシルを挙げることができる。さらにアルキル基の炭素原子数が１〜８個のＮ，Ｎ−ジアルキルカルボキシアミドは、このような他の溶剤として好適である。特に有利なアルキル基は、メチル、エチル及びｎ−ブチルである。Ｃ１−Ｃ３−アルカンカルボン酸のＮ，Ｎ−ジアルキルカルボキシアミドも特に有利である。本発明に従い特に有利なＮ，Ｎ−ジアルキルカルボキシアミドは、Ｎ，Ｎ−ジメチルホルムアミド及びＮ，Ｎ−ジメチルアセトアミドである。
【００１５】
本発明に従い添加されるフェノチアジンの溶剤は、溶剤の質量に対して、一般に少なくとも７５％、好ましくは少なくとも８５％、特に好ましくは９５％のＮ−アルキルピロリジンを含んでいる。本発明に従えば、フェノチアジン溶液の溶剤は、Ｎ−アルキルピロリドンのみ、特にＮ−メチルピロリドン又はＮ−エチルピロリドンのみから構成されることが有利である。
【００１６】
本発明に従い添加される阻害剤溶液は、フェノチアジン及びＭＥＨＱに加えて、他の重合阻害剤を含んでいても良い。これらの例としては、ヒドロキノン、ジフェニルアミン、ｐ−フェニレンジアミン、ニトロキシル遊離基（少なくとも１個の＞Ｎ−Ｏ・−基を有する化合物）、ニトロソ基、即ち−Ｎ＝Ｏを有する化合物及びヒドロキシルアミンを挙げることができる。
【００１７】
本発明で特に好適なニトロキシル遊離基（Ｎ−オキシル遊離基とも呼ぶ）は、α−炭素原子上に水素原子を持たない第２級アミンから誘導されるものである（即ち、Ｎ−オキシル遊離基は対応する第２級アミノ基から誘導される）。これらの中で特に好適なものは、ＥＰ−Ａ１３５２８０、先行出願ＤＥ−Ａ１９６５１３０７、ＵＳ−Ａ５３２２９１２、ＵＳ−Ａ５４１２０４７、ＵＳ−Ａ４５８１４２９、ＤＥ−Ａ１６１８１４１、ＣＮ−Ａ１０５２８４７、ＵＳ−Ａ４６７０１３１、ＵＳ−Ａ５３２２９６０、先行出願ＤＥ−Ａ１９６０２５３９、ＥＰ−Ａ７６５８５６及びＪＰ−Ａ５／３２０２１７に記載のＮ−オキシル基である。
【００１８】
このような好適で安定な、第２級アミンから誘導されるＮ−オキシル遊離基は、例えば一般式Ｉで表されるものである：
【００１９】
【化１】
0004647793.tif 000002
【００２０】
上記一般式Ｉにおいて、
Ｒ１、Ｒ２、Ｒ５及びＲ６が、相互に同一でも異なっていても良く、直鎖又は分岐の、無置換又は置換されたアルキル基を表し、
Ｒ３及びＲ４が、相互に同一でも異なっていても良く、直鎖又は分岐の、無置換又は置換されたアルキル基を表すか、又は
Ｒ３ＣＮＣＲ４が、無置換又は置換された環状構造を表す。
【００２１】
本発明に特に好適な化合物Ｉは、ＥＰ−Ａ１３５２８０、先行出願ＤＥ−Ａ１９６５１３０７、ＵＳ−Ａ５３２２９１２、ＵＳ−Ａ５４１２０４７、ＵＳ−Ａ４５８１４２９、ＤＥ−Ａ１６１８１４１、ＣＮ−Ａ１０５２８４７、ＵＳ−Ａ４６７０１３１、ＵＳ−Ａ５３２２９６０、先行出願ＤＥ−Ａ１９６０２５３９に記載のものである。
【００２２】
これらの例としては、一般式Ｉ［但し、Ｒ１、Ｒ２、Ｒ５及びＲ６が、相互に同一でも異なっていても良く、Ｃ１〜Ｃ４アルキル基、例えばメチル、エチル、ｎ−プロピル、イソプロピル、ｎ−ブチル、イソブチル又はｔｅｒｔ−ブチル；直鎖又は分岐のペンチル、フェニル、又はその置換された基を表し、そしてＲ３及びＲ４が、相互に同一でも異なっていても良く、Ｃ１〜Ｃ４アルキル基、例えばメチル、エチル、ｎ−プロピル、イソプロピル、ｎ−ブチル、イソブチル又はｔｅｒｔ−ブチル；直鎖又は分岐のペンチル、又はその置換された基を表し、或いはＣＮＣと共に環状構造：
【００２３】
【化２】
0004647793.tif 000003
【００２４】
｛但し、ｎが１〜１０（屡々１〜６）の整数である。｝及びこの種の置換環状構造を形成する。］で表される安定なＮ−オキシル遊離基を挙げることができる。代表例としては，２，２，６，６−テトラメチル−１−オキシルピペリジン、２，２，５，５−テトラメチル−１−オキシルピロリドン及び４−オキソ−２，２，６，６−テトラメチル−１−オキシルピペリジンを挙げることができる。
【００２５】
Ｎ−オキシル遊離基Ｉは、対応する第２級アミンから、これを酸化（例えば過酸化水素を用いて）することにより製造することができる。一般に、これらは純粋な物質として製造することができる。
【００２６】
本発明に好適なＮ−オキシル遊離基Ｉとしては、特にピペリジン−又はピロリジン−Ｎ−オキシル、及び下記の一般式II〜IXで表されるジ−Ｎ−オキシルを挙げることができる：
【００２７】
【化３】
0004647793.tif 000004
【００２８】
上式において、ｍが２〜１０であり、
Ｒ７、Ｒ８及びＲ９が、相互に独立して、それぞれ
【００２９】
【化４】
0004647793.tif 000005
を表し、
【００３０】
Ｍ＋が、水素イオン又はアルキル金属イオンを表し、
ｑが、１〜１０の整数であり、
Ｒ１、Ｒ２、Ｒ５及びＲ６が、相互に独立して且つＲ１、Ｒ２、Ｒ５及びＲ６と無関係に、Ｒ１と同一の基を表し、
Ｒ１０が、Ｃ１〜Ｃ４アルキル、−ＣＨ＝ＣＨ２、−Ｃ≡ＣＨ、−ＣＮ、−ＣＯ−ＮＨ２、−ＣＯＯ−Ｍ＋、−ＣＯＯＣＨ３、又は−ＣＯＯＣ２Ｈ５を表し、
Ｒ１１が、少なくとも１個の第１級アミノ基、第２級アミノ基（例、−ＮＨＲ１）又は第３級アミノ基（例、−ＮＲ１Ｒ２）、或いは少なくとも１個のアンモニウム基−Ｎ＋Ｒ１４Ｒ１５Ｒ１６Ｘ−｛但し、Ｘ−がＦ−、Ｃｌ−、Ｂｒ−、ＨＳＯ４−、ＳＯ２−、Ｈ２ＰＯ４−、ＨＰＯ４２−又はＰＯ４３−を表す｝、そしてＲ１４、Ｒ１５及びＲ１６が相互に独立して有機基を表し（例、相互に独立して、且つＲ１と無関係にＲ１と同一の基を表す。）、
Ｒ１２が、Ｒ１１と独立して、Ｒ１１と同じ基の１種を表すか、又は−Ｈ、−ＯＨ、Ｃ１〜Ｃ４アルキル、−ＣＯＯ−Ｍ＋、−Ｃ≡ＣＨ、
【００３１】
【化５】
0004647793.tif 000006
又はヒドロキシル置換Ｃ１〜Ｃ４アルキル（例、ヒドロキシエチル又はヒドロキシプロピル）を表すか、又は
Ｒ１１とＲ１２が、一緒になってカルボニル基の酸素を表し、そして
Ｒ１３が、−Ｈ、−ＣＨ３又は
【００３２】
【化６】
0004647793.tif 000007
を表す。
【００３３】
Ｒ１＝Ｒ２＝Ｒ５＝Ｒ６＝Ｒ１’＝Ｒ２’＝Ｒ５’＝Ｒ６’＝−ＣＨ３が好ましい。
【００３４】
本発明に好適な代表的なＮ−オキシル遊離基の例としては、
４−ヒドロキシ−２，２，６，６−テトラメチル−１−オキシルピペリジン、
４−ヒドロキシ−２，６−ジフェニル−２，６−ジメチル−１−オキシルピペリジン、
４−カルボキシ−２，２，６，６−テトラメチル−１−オキシルピペリジン、
４−カルボキシ−２，６−ジフェニル−２，６−ジメチル−１−オキシルピペリジン、
３−カルボキシ−２，２，５，５−テトラメチル−１−オキシルピロリジン、
３−カルボキシ−２，５−ジフェニル−２，６−ジメチル−１−オキシルピロリジン、
４−アセチル−２，２，６，６−テトラメチル−１−オキシルピペリジン、
Ｎ，Ｎ’−ビス（１−オキシ−２，２，６，６−テトラメチルピペリジン−４−イル）−Ｎ，Ｎ’−ビスホルミル−１，６−ジアミノヘキサン及び
ビス（１−オキシル−２，２，６，６−テトラメチルピペリジン−４−イル）アジペートを挙げることができる。
【００３５】
３−カルボキシ−２，２，５，５−テトラメチル−１−オキシル−ピロリジンの製造は、例えばRomanelli, M., Ottaviani, M.F., Martini, G., Kevan, L., JPCH J: Phys. Chem., EN, 93, 1 (1989), 317-322に記載されている。
【００３６】
化合物(VI)及び(VII)は、ＵＳ−Ａ４６６５１８５（例、実施例７）及びＤＥ−Ａ１９５１０１８４に従い得ることができる。
【００３７】
さらに好適な代表例として下記のものを挙げることができる：
【００３８】
【化７】
0004647793.tif 000008
Sunamoto, Junzo; Akiyoshi, Kuzunari, Kihara, Tetsuji; Endo, Masayuki, BCS JA 8, Bull, Chem. Soc. Jpn., EN, 65, 4 (1992), 1041-1046;
【００３９】
【化８】
0004647793.tif 000009
【化９】
0004647793.tif 000010
【化１０】
0004647793.tif 000011
【化１１】
0004647793.tif 000012
【化１２】
0004647793.tif 000013
【００４０】
本発明に従い、Ｎ−オキシル基の混合物も、勿論、フェノチアジンに加えて使用することもできる。
【００４１】
本発明に好適な有機ニトロソ化合物は、例えばＮ−ニトロソアリールアミン又は芳香核に直接結合したニトロソ基を有するニトロソ化合物である。例としては、ニトロソフェノール（例、４−ニトロソフェノール）、ニトロソナフトール（例、２−ニトロソ−１−ナフトール）、ニトロソベンゼン、Ｎ−ニトロソ−Ｎ−メチル尿素、ニトロソ−Ｎ，Ｎ−ジアルキルアニリン（アルキルはメチル、エチル、プロピル及び／又はブチル）、Ｎ−ニトロソジフェニルアミン、Ｎ−ニトロソフェニルナフチルアミン、４−ニトロソジナフチルアミン及びｐ−ニトロソジフェニルアミンを挙げることができる。本発明によれば、上記ニトロソ化合物の今後物も勿論フェノチアジンに加えて使用することができる。
【００４２】
本発明に好適なｐ−フェニレンジアミンは下記の一般式Ｘで表されるものである：
【００４３】
【化１３】
0004647793.tif 000014
【００４４】
［但し、上記Ｒ１６、Ｒ１７及びＲ１８が、相互に独立して、それぞれ炭素原子数２０個までの、アルキル、アリール（alkaryl)、アルキルアリール又はアラルキル、又は水素を表す。］
【００４５】
Ｒ１６、Ｒ１７及びＲ１８が、相互に独立して、それぞれメチル、エチル、プロピル、イソプロピル、イソブチル、ｓｅｃ−ブチル、ｎ−ブチル、ペンチル、フェニル又はナフチルである場合の化合物Ｘが特に好適である。適当な化合物Ｘの例として、Ｎ，Ｎ’−ビス−ｓｅｃ−ブチル−ｐ−フェニレンジアミン、Ｎ−フェニル−Ｎ’−イソプロピルフェニレンジアミン、Ｎ−ナフチル−Ｎ’−ｓｅｃ−ブチル−ｐ−フェニレンジアミン、Ｎ，Ｎ，Ｎ’−トリメチル−ｐ−フェニレンジアミン、Ｎ，Ｎ，Ｎ’−トリエチル−ｐ−フェニレンジアミン、Ｎ，Ｎ−ジメチル−ｐ−フェニレンジアミン、Ｎ，Ｎ−ジエチル−ｐ−フェニレンジアミン、Ｎ−フェニル−Ｎ’，Ｎ’−ジメチル−ｐ−フェニレンジアミン、Ｎ−フェニル−Ｎ’，Ｎ’−ジエチル−ｐ−フェニレンジアミン、Ｎ−フェニル−Ｎ’，Ｎ’−ジプロピル−ｐ−フェニレンジアミン、Ｎ−フェニル−Ｎ’，Ｎ’−ジ−ｎ−ブチル−ｐ−フェニレンジアミン、Ｎ−フェニル−Ｎ’，Ｎ’−ジ−ｓｅｃ−ブチル−ｐ−フェニレンジアミン、Ｎ−フェニル−Ｎ’−メチル−Ｎ’−エチル−ｐ−フェニレンジアミン、Ｎ−フェニル−Ｎ’−メチル−Ｎ’−プロピル−ｐ−フェニレンジアミン、Ｎ−フェニル−Ｎ’−メチル−ｐ−フェニレンジアミン、Ｎ−フェニル−Ｎ’−エチル−ｐ−フェニレンジアミン、Ｎ−フェニル−Ｎ’−プロピル−ｐ−フェニレンジアミン、Ｎ−フェニル−Ｎ’−イソプロピル−ｐ−フェニレンジアミン、Ｎ−フェニル−Ｎ’−ブチル−ｐ−フェニレンジアミン、Ｎ−フェニル−Ｎ’−ブチル−ｐ−フェニレンジアミン、Ｎ−フェニル−Ｎ’−イソブチル−ｐ−フェニレンジアミン、Ｎ−フェニル−Ｎ’−ｓｅｃ−ブチル−ｐ−フェニレンジアミン、Ｎ−フェニル−Ｎ’−ｔｅｒｔ−ブチル−ｐ−フェニレンジアミン、Ｎ−フェニル−Ｎ’−ｎ−ペンチル−ｐ−フェニレンジアミン、Ｎ−フェニル−Ｎ’−ｎ−ヘキシル−ｐ−フェニレンジアミン、Ｎ−フェニル−Ｎ’−（１−メチルへキシル）−ｐ−フェニレンジアミン、Ｎ−フェニル−Ｎ’−（１，３−ジメチルブチル）−ｐ−フェニレンジアミン、Ｎ−フェニル−Ｎ’−（１，４−ジメチルペンチル）−ｐ−フェニレンジアミン及びｐ−フェニレンジアミンを挙げることができる。本発明によれば、ｐ−フェニレンジアミンの混合物もフェニチアジンに加えて使用することができる。特に、この種の好適な混合物は、ＷＯ９２／０１６６５で推奨されているｐ−フェニレンジアミン混合物である。
【００４６】
本発明によれば、全ての異なる上述の重合阻害剤の混合物は、勿論フェノチアジンとＭＥＨＱに付加的に使用される。
【００４７】
本発明に好ましいフェノチアジン溶液は、重合阻害剤の全重量が一般に少なくとも５０質量％、好ましくは少なくとも７５質量％、特に少なくとも９０質量％がフェノチアジンであるものである。フェノチアジン及びＭＥＨＱ以外の別の重合阻害剤は、本発明に従い加えられるべき阻害剤溶液には存在しないのが特に有利である。ＭＥＨＱは、阻害剤溶液で阻害剤としてはほとんど機能しない。
【００４８】
一般に、本発明に従い加えられるべき阻害剤溶液のフェノチアジンの含有量は、溶液に対して少なくとも１０％（ｗ／ｗ）、好ましくは少なくとも２０％（ｗ／ｗ）、特に少なくとも３０％（ｗ／ｗ）である。
【００４９】
本発明によれば、フェノチアジンのメチルピロリドン溶液は、フェノチアジン含有量が溶液に対して３５〜４５％のものが好ましい。この溶液のフェノチアジン含有量は、屡々３５％（ｗ／ｗ）である。
【００５０】
阻害剤溶液中の結晶化阻害剤ＭＥＨＱの含有量は、阻害剤溶液の質量に対して好ましくは２．５〜１２．５％（ｗ／ｗ）、特に５〜１０％（ｗ／ｗ）である。
【００５１】
特に、本発明の好ましい態様では、阻害剤溶液は、３５％のフェノチアジン、５％のＭＥＨＱ及び６０％のＮ−メチルピロリドン、又は３０％のフェノチアジン、１０％のＭＥＨＱ及び６０％のＮ−メチルピロリドン（いずれもｗ／ｗ）を含んでいる。
【００５２】
新規な方法は、どのような種類のラジカル重合の、たとえ０℃未満でも、急停止するのに好適であり、特にこの明細書の初めに述べられた不意の及び／又は生業不能のラジカル重合を急停止するのに好適である。
【００５３】
これらの重合としては、特に、少なくも９５質量％、又は少なくとも９８質量％、又は少なくとも９９質量％、又は１００質量％の（メタ）アクリルモノマーを含む物質の不意のラジカル重合を挙げることができる。特に好適な（メタ）アクリルモノマーとして、（メタ）アクリル酸、及び（メタ）アクリル酸と一価アルコール又は多価アルコールとのエステルを挙げることができる。これは、特に一価又は多価アルカノールが炭素原子数１〜２０個又は１〜１２個或いは１〜８個のものである場合に適用される。このようなエステルの代表例としては、メチルアクリレート、エチルアクリレート、ｎ−ブチルアクリレート、イソブチルアクリレート、ｔｅｒｔ−ブチルアクリレート、２−エチルへキシルアクリレート、メチルメタクリレート、エチルメタクリレート、ｎ−ブチルメタクリレート、及びｔｅｒｔ−ブチルメタクリレートを挙げることができる。
【００５４】
本発明は、さらに新規な方法を行うための装置に関するものである。
【００５５】
ラジカル重合下にある系に極めて急速に均一分散を得るために、本発明に従い加えられるべき阻害剤溶液をスプレーノズルを介して導入することが塗布技術の観点から便宜である。ＤＥ−Ａ１９７４９８５９及びＤＥ−Ａ１９８２２４９４に記載された装置は、特に重合下の系への阻害剤溶液の導入に特に好適である。
【００５６】
勿論、上述の均一化は、ポンプによる循環及び／又は撹拌によっても維持することができる。しかしながら、このような機械的補助手段は、ラジカル重合下の系にエネルギーを導入することなるので、重合を加速する危険性を内包することにもなる。導入されるべきフェノチアジン溶液は適当な貯蔵容器に入れておくのが便宜である。（メタ）アクリルモノマーのラジカル重合を急停止させる新規な方法が、溶剤の非存在下に不意に重合する場合、フェノチアジンの合計添加量は（メタ）アクリルモノマーに対して約０．０１〜３質量％にすべきである。一般に、０．０１〜０．０５、屡々０．０２５質量％のフェノチアジンで十分である。
【００５７】
［実施例］
阻害剤溶液の組成                              結晶化温度
３５％（ｗ／ｗ）フェノチアジン                  ＋２℃
６５％（ｗ／ｗ）Ｎ−メチルピロリドン
３５％（ｗ／ｗ）フェノチアジン                  −１１℃
５％（ｗ／ｗ）ＭＥＨＱ
６０％（ｗ／ｗ）Ｎ−メチルピロリドン
ＭＥＨＱ含有阻害剤溶液の結晶化温度と、ＭＥＨＱ非含有阻害剤溶液のそれとの比較によれば、ＭＥＨＱは結晶化温度を低下させ、２℃〜−１１℃への１３℃操作範囲が拡大することが分かる。重合阻害剤としてのフェノチアジンの効果は損なわれない。